(57)【要約】      （修正有）【課題】腕まくりを簡単に行うことができ、袖を元に戻す際にも簡単で、かつ、腕まくりをするための留め具等を携行する必要がない便利な長袖衣服の提供。【解決手段】袖口１にカフス２とカフス２に連続して形成されている開閉部３とが設けられているポロシャツに、開閉部３の両側の生地に跨るようにしてストレッチバインダＢ（伸縮自在な帯状部材）を取り付ける。【選択図】図１
0003128294.tif 000002
【実用新案登録請求の範囲】
【請求項１】
袖口に開き部が設けられている長袖衣服において、前記開き部の両側の生地に跨るようにして伸縮自在な帯状部材が取り付けられていることを特徴とする長袖衣服。
【請求項２】
前記開き部が、カフス及び同カフスに連続して形成されている開閉部であり、前記カフス又は前記開閉部の少なくとも一方に、前記帯状部材が取り付けられていることを特徴とする請求項１記載の長袖衣服。
【請求項３】
前記開き部が、前記袖口の先端部に形成されたスリットであり、同スリットに、前記帯状部材が取り付けられていることを特徴とする請求項１記載の長袖衣服。
【請求項４】
前記帯状部材が、前記袖口の内側に配置されていることを特徴とする請求項１〜３のいずれかに記載の長袖衣服。
【請求項５】
前記帯状部材が前記カフスに取り付けられており、前記帯状部材の一方の端部が前記カフスの周方向の一端部に固定され、且つ、前記帯状部材の他方の端部が前記カフスの他端部のカフスボタンに着脱可能になっており、同カフスボタンから取り外した前記帯状部材の前記他方の端部が、前記カフスの前記他端部の裏面に係止可能になっていることを特徴とする請求項２記載の長袖衣服。
【請求項６】
前記帯状部材の表面に、シリコン加工が施されていることを特徴とする請求項１〜５のいずれかに記載の長袖衣服。
【考案の詳細な説明】
【技術分野】
【０００１】
本考案は、袖口に開き部を有した長袖衣服に関する。
【背景技術】
【０００２】
袖口に開き部を有する長袖衣服には、例えば、カフス付きのポロシャツやワイシャツ、袖口にスリットが設けられているスポーツシャツ等がある。これらの長袖衣服を着用している際に腕まくりをするには、ワイシャツを着用している場合であれば、カフスのボタンとカフスに連続して形成されている開閉部（剣ボロとも呼ばれる）のボタンとを外したうえで、カフスを上側に折り返して袖を捲り上げるのが一般的である。また、袖口を上げた状態でワイシャツの袖をアームバンドで留める方法もある。一方、スリット付きのスポーツシャツを着用しているときには、袖口を適当な位置まで引っ張り上げて腕まくりをするのが一般的である。
【０００３】
ところで、折り返した袖口を留めるためのものとして、ゴム紐の両端を一つのボタン型部品に取り付けた袖口あげ止め具が考案され公知技術として存在している。この袖口あげ止め具のボタン型部品は、カフスのボタンホールに係合可能になっていて、ボタン型部品をボタンホールに通すとともに、ゴム紐をカフスのボタンに掛けた状態にして取り付ける。そして、この状態でカフスを上側へ折り返すと、カフスの周方向の両端部がゴム紐で繋がれた状態になっているためカフスが開かず、腕まくりしたときの見栄えが良くなるという特徴を備えている（例えば、特許文献１参照）。
【特許文献１】実用新案登録第３１１７１７１号公報（第４〜６頁、第１〜３図）
【考案の開示】
【考案が解決しようとする課題】
【０００４】
しかしながら、これらには次のような問題点がある。即ち、カフス等の袖口を折り返して袖を捲り上げるので、腕まくりするときだけでなく、元に戻すときにも手間がかかる。また、アームバンドで留める方法は、アームバンドを携行しておく必要があるし、不使用時に腕に付けたままにしておくと邪魔になる場合があるので、袖を元に戻すときには腕から取り外さなければならず着脱の手間が生じる。しかも、アームバンドは見栄えが良いとは言い難い。また、袖口にスリットが設けられている長袖のスポーツシャツの場合は、通常、袖口に口ゴムが入っていないため、袖口を引き上げただけではずり落ち易い。
【０００５】
それから、前述の袖口あげ止め具は、アームバンドと同様、携行しておく必要があるし、腕まくりをしたり袖を元に戻したりする場合には、その都度取り付け・取り外しをしなければならないので面倒である。
【０００６】
そこで本考案は、腕まくりを簡単に行うことができ、且つ、袖を元に戻すことも簡単で、別途留め具等を携行する必要がない便利な長袖衣服の提供を目的としている。
【課題を解決するための手段】
【０００７】
請求項１記載の長袖衣服は、袖口に開き部が設けられている長袖衣服において、前記開き部の両側の生地に跨るようにして伸縮自在な帯状部材を取り付けることを特徴としている。なお、伸縮自在な帯状部材とは、例えばゴム紐等の、引張力が働くと伸びて、その引張力が除かれると直ぐに元の状態に戻る性質を備えているものを示している。
【０００８】
この長袖衣服によれば、前記袖口を引き上げると、前記開き部に取り付けられている前記帯状部材によって引き上げた位置で留めることができるので、簡単に腕まくりした状態にすることができる。また、引き上げた前記袖口は、前記開き部に取り付けている前記帯状部材によって留まっているので、引き上げた前記袖口を下ろすだけで、袖を元の状態に戻すことができる。しかも、前記帯状部材は前記袖口に取り付けられているため、別途留め具等を携行しておく必要がない。
【０００９】
請求項２記載の長袖衣服は、開き部を、カフス及び同カフスに連続して形成されている開閉部とし、前記カフス又は前記開閉部の少なくとも一方に、帯状部材を取り付けること特徴としている。
【００１０】
この長袖衣服によれば、特に、カフス付きのポロシャツ、ワイシャツ、ブラウス等において、上記請求項１の長袖衣服と同様の作用を生じさせることができる。
【００１１】
請求項３記載の長袖衣服は、開き部を、袖口の先端部に形成されたスリットとし、同スリットに、帯状部材を取り付けることを特徴としている。
【００１２】
この長袖衣服によれば、特に袖口にスリットが設けられているスポーツシャツ等において、上記請求項１の長袖衣服と同様の作用を生じさせることができる。
【００１３】
請求項４記載の長袖衣服は、帯状部材を、袖口の内側に取り付けることを特徴としている。この長袖衣服によれば、前記帯状部材を、外観上、目立たなくすることができる。
【００１４】
請求項５の長袖衣服は、帯状部材が前記カフスに取り付けられており、前記帯状部材の一端部を前記カフスの周方向の一端部に固定し、かつ、前記帯状部材の他方の端部を前記カフスの他端部のカフスボタンに着脱可能にして、同カフスボタンから取り外した前記帯状部材の前記他方の端部を、前記カフスの前記他端部の裏面に係止可能にすること特徴としている。
【００１５】
この長袖衣服によれば、前記帯状部材を、不使用時、つまり、腕まくりをしないときに、前記カフスの裏側に隠しておくことができる。
【００１６】
請求項６の長袖衣服は、帯状部材の表面に、シリコン加工を施すことを特徴としている。
【００１７】
この長袖衣服によれば、前記帯状部材のストッパー力が補強され、腕まくりした状態がより確実に保持される。また、前記帯状部材の意匠性を高めることもできる。
【考案の効果】
【００１８】
請求項１の長袖衣服は、留め具等を携行していなくても、腕まくりを簡単に手早く行うことができ、袖口を引き上げた位置でしっかりと留めることができる。また、袖を元に戻す場合も簡単、且つ、手早く行うことができる。
【００１９】
請求項２の長袖衣服は、特に、カフス付きのポロシャツ、ワイシャツ、ブラウス等においても、上記請求項１の長袖衣服と同様の効果を有したものとすることができる。
【００２０】
請求項３の長袖衣服は、特に袖口にスリットが設けられているスポーツシャツ等において、上記請求項１の長袖衣服と同様の効果を有したものとすることができる。
【００２１】
請求項４および５の長袖衣服は、見栄えが良くなる。
【００２２】
請求項６の長袖衣服は、腕まくりをした袖口がずり落ちにくいため、着心地が損なわれない。また、デザイン性やファッション性にも優れた衣服の提供が可能なる。
【考案を実施するための最良の形態】
【００２３】
以下に、本考案にかかる長袖衣服の実施形態について、図１〜図３を参照しつつ説明する。
【００２４】
図１（ａ）は長袖のポロシャツの袖口を示す部分拡大図であり、図１（ｂ）は図１（ａ）の袖口の開き部を内側から見た図である。
【００２５】
この袖口１にはカフス２が設けられており、カフス２の上側にはカフス２に連続して形成されている剣ボロとも呼ばれる開閉部３が設けられている。この開閉部３は上下に重ね合わせた一対の帯状の布材からなり、下側の布材３ａに取り付けられたボタン４と、上側の布材３ｂに設けられたボタンホール５とによって開閉可能になっている。この開閉部３は、ボタン４をボタンホール５から外して開いた状態にすると腕まくりがし易く、ボタン４をボタンホール５に取り付けて閉じた状態にすると、二個のカフスボタン６ａ・６ｂを各ボタンホール７ａ・７ｂにそれぞれ取り付けて留めたときに、開閉部３から中の腕が見えなくなるので、袖口１の見栄えを良くすることができる。なお、カフスボタン６ａ・６ｂ及びボタンホール７ａ・７ｂは、カフス２の幅方向に並べて配置されている。
【００２６】
この開閉部３の裏面に、伸縮自在な帯状部材（ストレッチバインダＢ）が取り付けられており、ストレッチバインダＢは、天然ゴムやポリエステル、ポリウレタン等のゴム弾性を備えた伸縮性のある材料を用いて形成され、表面にシリコン加工が施された幅１２ｍｍ程度の短い部材であり、袖と同一色になっている。
【００２７】
このストレッチバインダＢは、カフス２から上側に開閉部３の全長の２／３ほどの位置にあり、長手方向の両端部が裏側に折り返され、これらの折り返し部分を、上側の布材３ｂの下と下側の布材３ａの下とにそれぞれ挟み込んだ状態で取り付けられている。ストレッチバインダＢの長さは、開閉部３を閉じた状態において弛み少なくなるように設定されている。
【００２８】
このようにスレットバインダＢが設けられているポロシャツは、袖口１のカフス２のカフスボタン６ａ・６ｂをボタンホール７ａ・７ｂから取り外し、開閉部３のボタン４をボタンホール５から取り外して袖口１を引き上げると、袖口１はストレッチバインダＢにより引き上げられた位置で留まり、腕まくりした状態になる。スレットバインダＢには、表面にシリコン加工が施されているのでストッパー力が補強され、腕まくりした状態がしっかりと保持される。また、スレットバインダＢは袖と同一色であるため、開閉部３から見えても目立たず、見栄えを損なうことがない。したがって、腕まくりをしてプレーすることもあり、また、ファッション性のある衣服が求められることの多いゴルフウェアに特に好適である。一方、袖を元に戻すときには、袖口１を下に引いて袖を伸ばし、あとはカフスボタン６と開閉部４のボタン４とを留めるだけで良い。
【００２９】
なお、スレットバインダＢは、厚みの薄いものの方が好ましく、また、シリコン加工は片面だけに施して良く、例えば、裏面にシリコンでロゴをプリントするようなものであっても良い。こうすることによって、ストレッチバインダの意匠性が高まり、衣服のデザイン性やファッション性も向上する。
【００３０】
図２（ａ）は長袖のスポーツシャツの袖口を示す部分拡大図であり、図２（ｂ）は図２（ａ）の袖口の開き部を内側から見た図である。
【００３１】
この袖口１’の先端部には、開き部としてのスリット３’が、端から上方向に向かって形成されている。このスリット３’の裏面に、前述したのと同様のストレッチバインダＢ’が取り付けられている。ストレッチバインダＢ’は、袖口１’の先端から上側にスリット３’の全長の２／３ほどの位置にあり、スリット３’を横切るように配置されている。そして、その長手方向の両端部が裏側に折り返され、これらの折り返し部分をそれぞれ、スリット３’の縁部に縫着されている逆Ｕ字型の縁布３ａ’の下に挟み込んだ状態で取り付けられている。このストレッチバインダＢ’の長さは、スリット３’が閉じた状態において弛みが少なくなるように設定されている。
【００３２】
このようにスレットバインダＢ’が設けられているスポーツシャツは、袖口１’を引き上げると、袖口１’はストレッチバインダＢ’により引き上げられた位置でしっかりと留まり、腕まくりした状態になる。また、スレットバインダＢ’は袖と同一色であるため、スリット３’から見えても目立たず、見栄えを損なうことがない。そして、袖を元に戻すときには袖口１’を下に引いて袖を伸ばすだけで良い。
【００３３】
なお、上記のスポーツシャツには、襟付きのものではポロシャツ、襟無のものではＴシャツ等が含まれる。
【００３４】
図３（ａ）は長袖のポロシャツの袖口を示す部分拡大図であり、図３（ｂ）は図３（ａ）の袖口の開き部を内側から見た図である。
【００３５】
この袖口１”にはカフス２”が設けられており、カフス２”の上側にはカフス２”に連続して形成されている剣ボロとも呼ばれる開閉部３”が設けられている。この開閉部３”は上下に重ね合わせた一対の帯状の布材からなり、下側の布材３ａ”に取り付けられているボタン４”と、上側の布材３ｂ”に設けられたボタンホール５”とによって開閉可能になっている。この開閉部３”は、ボタン４”をボタンホール５”から外せば腕まくりがし易くなり、ボタン４”をボタンホール５”に取り付けて閉じた状態にすると、二個のカフスボタン６ａ”・６ｂ”のいずれかをボタンホール７”に取り付けて留めたときに、開閉部３”から中の腕が見えなくなるため、袖口１”の見栄えを良くすることができる。なお、二個のカフスボタン６ａ”・６ｂ”は、カフス２”の周方向に並べて配置されており、カフス２”の径を二段階に調節可能になっている。
【００３６】
このカフス２”の裏面に、前述したようなストレッチバインダＢ”が取り付けられている。ストレッチバインダＢ”は、カフス２”の幅の約半分の位置にあり、長手方向の一端部を、カフス２”の周方向においてボタンホール７”がある方の端部に、カフス２”の表裏の生地のあいだに挟み込んだ状態にして取り付けられている。一方、ストレッチバインダＢ”の他端部には、カフスボタン６”に係合可能な二個のボタンホール５ａ”・５ｂ”が、長手方向に並んだ状態で形成されている。
【００３７】
このストレッチバインダＢ”は、不使用時にはカフス２”の裏側に折り返し、先端側のボタンホール５ａ”をカフス２”の裏側に取り付けられているボタン６ｃ”に取り付けることにより、カフス２”の裏側に隠しておくことができる。この状態において、ボタンホール５ｂ”はカフス２”のボタンホール７”の真下に位置した状態になるので、カフスボタン６ａ”・６ｂ”のボタンホール７”への取り付けは、ボタンホール５ｂ”を通じて行うことができる。
【００３８】
このように、スレットバインダＢ”が設けられているポロシャツは、袖口１”のカフス２”のカフスボタン６ａ”・６ｂ”をボタンホール７”から取り外し、開閉部３”のボタン４”をボタンホール５”から取り外して袖口１”を引き上げると、袖口１”はストレッチバインダＢ”により引き上げられた位置でしっかりと留まり、腕まくりした状態になる。スレットバインダＢ”は袖と同一色であるため、開閉部３”から見えても目立たず、見栄えを損なうことがない。そして、袖を元に戻すときには、袖口１”を下に引いて袖を伸ばし、あとはカフスボタン６ａ”と開閉部３”のボタン４”とを留めるだけで良い。
【００３９】
なお、上記のような開閉部３”がなくカフス２”のみが設けられているタイプのシャツにも対応することができる。
【図面の簡単な説明】
【００４０】
【図１】（ａ）は本考案にかかる長袖衣服の実施形態であり、長袖のポロシャツの袖口を示す部分拡大図であり、図１（ｂ）は図１（ａ）の袖口の開き部を内側から見た際の部分拡大図。
【図２】（ａ）は本発明にかかる長袖衣服の別の実施形態であり、長袖のスポーツシャツの袖口を示す部分拡大図であり、図２（ｂ）は図２（ａ）の袖口の開き部を内側から見たときの部分拡大図。
【図３】（ａ）は本発明にかかる長袖衣服のさらに別の実施形態であり、長袖のポロシャツの袖口を示す部分拡大図であり、図３（ｂ）は図３（ａ）の袖口の開き部を内側から見たときの部分拡大図。
【符号の説明】
【００４１】
１、１’、１”  袖口
２、２”  カフス
３  開閉部
３’  スリット
４  ボタン
５  ボタンホール
６ａ、６ｂ  カフスボタン
７ａ、７ｂ  ボタンホール
Ｂ、Ｂ’、Ｂ”ストレッチバインダ（帯状部材）
【図１】
0003128294.tif 000003
【図２】
0003128294.tif 000004
【図３】
0003128294.tif 000005